(57)【要約】【課題】ハンドオーバ時の遅延を低減する。【解決手段】本発明に係る移動通信方法は、上位ノード及びハンドオーバ元の無線基地局は、上位ノードとハンドオーバ元の無線基地局との間で設定されているアクセスベアラの設定情報を保存しており、ハンドオーバ元の無線基地局が、アクセスベアラの設定情報をハンドオーバ先の無線基地局に対して通知する工程Ａと、ハンドオーバ先の無線基地局が、ハンドオーバ元の無線基地局から通知されたアクセスベアラの設定情報を保存する工程Ｂと、上位ノードが、ハンドオーバ先の無線基地局からの経路切替要求に対して、新たなアクセスベアラの設定情報の再割当処理を行うことなく、保存しているアクセスベアラの設定情報を用いてハンドオーバ先の無線基地局との間のアクセスベアラを設定する工程Ｃとを有する。【選択図】図４
2010178398.tif 000002
【特許請求の範囲】
【請求項１】
複数の無線基地局と該複数の無線基地局の上位ノードとを具備する移動通信システムにおいて、移動局が、無線基地局から該無線基地局とは異なる無線基地局にハンドオーバする移動通信方法であって、
前記上位ノード及び前記ハンドオーバ元の無線基地局は、該上位ノードと該ハンドオーバ元の無線基地局との間で設定されているアクセスベアラの設定情報を保存しており、
前記ハンドオーバ元の無線基地局が、前記アクセスベアラの設定情報を、前記ハンドオーバ先の無線基地局に対して通知する工程Ａと、
前記ハンドオーバ先の無線基地局が、前記ハンドオーバ元の無線基地局から通知された前記アクセスベアラの設定情報を保存する工程Ｂと、
前記上位ノードが、前記ハンドオーバ先の無線基地局からの経路切替要求に対して、新たなアクセスベアラの設定情報の再割当処理を行うことなく、保存している前記アクセスベアラの設定情報を用いて、前記ハンドオーバ先の無線基地局との間のアクセスベアラを設定する工程Ｃとを有することを特徴とする移動通信方法。
【請求項２】
前記アクセスベアラは、ユーザデータを伝送するためのトンネルであり、
前記アクセスベアラの設定情報は、前記トンネルにおける前記上位ノード側のＧＴＰ-ＵのＴＥ-ＩＤであることを特徴とする請求項１に記載の移動通信方法。
【請求項３】
前記工程Ａにおいて、前記ハンドオーバ元の無線基地局は、前記アクセスベアラの設定情報に加えて、前記上位ノードのアドレスを、前記ハンドオーバ先の無線基地局に対して通知することを特徴とする請求項１に記載の移動通信方法。
【請求項４】
前記工程Ａにおいて、前記ハンドオーバ元の無線基地局は、前記ハンドオーバ先の無線基地局に対してハンドオーバするように要求するメッセージに、前記アクセスベアラの設定情報を含めて送信することを特徴とする請求項１に記載の移動通信方法。
【請求項５】
前記工程Ｂにおいて、前記ハンドオーバ先の無線基地局は、前記ハンドオーバ元の無線基地局から通知された前記アクセスベアラの設定情報のうち、該ハンドオーバ先の無線基地局で引継ぎ可能なアクセスベアラの設定情報を選択して保存することを特徴とする請求項１に記載の移動通信方法。
【請求項６】
移動局がハンドオーバ可能な移動通信システムにおいて用いられる無線基地局であって、
前記移動局における通信品質について所定条件を満たす場合、ハンドオーバ先の無線基地局に対してハンドオーバするように要求するメッセージを送信するハンドオーバ制御部を具備し、
前記ハンドオーバ制御部は、前記無線基地局の上位ノードとの間で設定されているユーザデータを伝送するためのトンネルにおける該上位ノード側のＧＴＰ-ＵのＴＥ-ＩＤを前記メッセージに含めて送信するように構成されていることを特徴とする無線基地局。
【請求項７】
移動局がハンドオーバ可能な移動通信システムにおいて用いられる無線基地局であって、
ハンドオーバ元の無線基地局から、前記無線基地局に対してハンドオーバするように要求するメッセージを受信した場合、前記無線基地局の上位ノードとの間で、ユーザデータを伝送するためのトンネルを設定するハンドオーバ制御部を具備し、
前記ハンドオーバ制御部は、前記メッセージに含まれる前記ハンドオーバ元の無線基地局と前記上位ノードとの間で設定されているトンネルにおける該上位ノード側のＧＴＰ-ＵのＴＥ-ＩＤを用いて、該上位ノードとの間で前記トンネルを設定するように構成されていることを特徴とする無線基地局。
【請求項８】
移動局がハンドオーバ可能な移動通信システムにおいて用いられる複数の無線基地局の上位ノードであって、
ハンドオーバ元の無線基地局との間で設定されているアクセスベアラの設定情報を保存しており、
ハンドオーバ先の無線基地局からの経路切替要求に対して、新たなアクセスベアラの設定情報の再割当処理を行うことなく、保存している前記アクセスベアラの設定情報を用いて、前記ハンドオーバ先の無線基地局との間でアクセスベアラを設定するように構成されていることを特徴とする上位ノード。
【発明の詳細な説明】
【技術分野】
【０００１】
本発明は、複数の無線基地局と該複数の無線基地局の上位ノードとを具備する移動通信システムにおいて、移動局が、ハンドオーバ元の無線基地局からハンドオーバ先の無線基地局にハンドオーバする移動通信方法に関する。
【０００２】
また、本発明は、かかる移動通信方法で用いられる無線基地局及び上位ノードに関する。
【背景技術】
【０００３】
ＩＭＴ-２０００（Ｉｎｔｅｒｎａｔｉｏｎａｌ  Ｍｏｂｉｌｅ  Ｔｅｌｅｃｏｍｍｕｎｉｃａｔｉｏｎ-２０００）システムでは、図８に示すように、ＲＡＮ（Ｒａｄｉｏ  Ａｃｃｅｓｓ  Ｎｅｔｗｏｒｋ）ノード（例えば、ＲＮＣ：Ｒａｄｉｏ  Ｎｅｔｗｏｒｋ  Ｃｏｎｔｒｏｌｌｅｒ）とコアノード（例えば、ＳＧＳＮ：Ｓｅｒｖｉｎｇ  ＧＰＲＳ  Ｓｅｒｖｉｃｅ  Ｎｏｄｅ）との間では、Ｉｕインターフェースが定義されており、Ｉｕインターフェースにおいて、ユーザプレーン（Ｕ-ｐｌａｎｅ）データを伝送するためのＧＴＰ（ＧＰＲＳ  Ｔｕｎｎｅｌｉｎｇ  Ｐｒｏｔｏｃｏｌ）トンネルが設定される。
【０００４】
かかるＩＭＴ-２０００システムにおいて、移動局が、同一のＳＧＳＮ配下のＲＮＣを跨るハンドオーバを行う場合、即ち、「ＳＲＳＮ  ｒｅｌｏｃａｔｉｏｎ」を行う場合には、ＳＧＳＮが、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）にて、「Ｒｅｌｏｃａｔｉｏｎ  Ｒｅｑｕｅｓｔメッセージ」を送信し、ＳＧＳＮ側のＧＴＰトンネルエンドポイントＩＤが再設定される。
【０００５】
すなわち、ＳＧＳＮが、「Ｒｅｌｏｃａｔｉｏｎ  Ｒｅｑｕｅｓｔメッセージ」にて、ＮｏｄｅＢ側のＧＴＰトンネルエンドポイントＩＤを通知することにより、ハンドオーバ先のＲＮＣ＃２との間で、ＧＴＰトンネル＃２を設定する。
【先行技術文献】
【非特許文献】
【０００６】
【非特許文献１】３ＧＰＰ  ＴＳ２５.４１３
【発明の概要】
【発明が解決しようとする課題】
【０００７】
ＩＭＴ-２０００システム以降の次世代の移動通信システム（例えば、ＬＴＥ：Ｌｏｎｇ  Ｔｅｒｍ  Ｅｖｏｌｕｔｉｏｎ）では、Ｉｕインターフェースに対応するＳ１インターフェースが規定されており、Ｓ１インターフェースにおいても、ＲＡＮノード（例えば、無線基地局ｅＮＢ）とコアノード（例えば、ＳＡＥ（Ｓｙｓｔｅｍ  Ａｒｃｈｉｔｅｃｔｕｒｅ  Ｅｖｏｌｕｔｉｏｎ）  Ｇａｔｅｗａｙ）との間で、ＧＴＰトンネルが設定される。
【０００８】
かかる移動通信システムでは、ハンドオーバ時に、ハンドオーバ先の無線基地局ｅＮＢとコアノードＳＡＥ  Ｇａｔｅｗａｙとの間で、ハンドオーバ元の無線基地局ｅＮＢとコアノードＳＡＥ  Ｇａｔｅｗａｙとの間で設定していた「ＳＡＥ  Ａｃｃｅｓｓ  Ｂｅａｒｅｒ」に相当する「ＳＡＥ  Ａｃｃｅｓｓ  Ｂｅａｒｅｒ」を設定する必要がある。
【０００９】
通常、コアノードＳＡＥ  Ｇａｔｅｗａｙが、かかる「ＳＡＥ  Ａｃｃｅｓｓ  Ｂｅａｒｅｒ」の設定を開始する。
【００１０】
しかしながら、ＬＴＥシステムにおいて、ハンドオーバを行う場合、図９に示すように、ハンドオーバ先の無線基地局ｅＮＢ２が、ステップＳ２００７において、「Ｈａｎｄｏｖｅｒ  Ｃｏｍｐｌｅｔｅメッセージ」を送信した後、ステップＳ２００８において、コアノードＳＡＥ  Ｇａｔｅｗａｙが、ハンドオーバ先の無線基地局ｅＮＢ２との間で設定するＧＴＰトンネルにおけるコアノード側のＴＥ（Ｔｕｎｎｅｌ  Ｅｎｄｐｏｉｎｔ）-ＩＤについての再割当処理を行うため、ハンドオーバ時に遅延が発生するという問題があった。
【００１１】
そこで、本発明は、上述の課題に鑑みてなされたものであり、ハンドオーバ時に、ハンドオーバ元の無線基地局ｅＮＢが保持しているＵＥ  Ｃｏｎｔｅｘｔを、ハンドオーバ先の無線基地局ｅＮＢでも流用することによって、ハンドオーバ時の遅延を低減することができる移動通信方法、無線基地局及び上位ノードを提供することを目的とする。
【課題を解決するための手段】
【００１２】
本発明の第１の特徴は、複数の無線基地局と該複数の無線基地局の上位ノードとを具備する移動通信システムにおいて、移動局が、無線基地局から該無線基地局とは異なる無線基地局にハンドオーバする移動通信方法であって、前記上位ノード及び前記ハンドオーバ元の無線基地局は、該上位ノードと該ハンドオーバ元の無線基地局との間で設定されているアクセスベアラの設定情報を保存しており、前記ハンドオーバ元の無線基地局が、前記アクセスベアラの設定情報を、前記ハンドオーバ先の無線基地局に対して通知する工程Ａと、前記ハンドオーバ先の無線基地局が、前記ハンドオーバ元の無線基地局から通知された前記アクセスベアラの設定情報を保存する工程Ｂと、前記上位ノードが、前記ハンドオーバ先の無線基地局からの経路切替要求に対して、新たなアクセスベアラの設定情報の再割当処理を行うことなく、保存している前記アクセスベアラの設定情報を用いて、前記ハンドオーバ先の無線基地局との間のアクセスベアラを設定する工程Ｃとを有することを要旨とする。
【００１３】
本発明の第１の特徴において、前記アクセスベアラは、ユーザデータを伝送するためのトンネルであり、前記アクセスベアラの設定情報は、前記トンネルにおける前記上位ノード側のＧＴＰ-ＵのＴＥ-ＩＤであってもよい。
【００１４】
本発明の第１の特徴において、前記工程Ａにおいて、前記ハンドオーバ元の無線基地局は、前記アクセスベアラの設定情報に加えて、前記上位ノードのアドレスを、前記ハンドオーバ先の無線基地局に対して通知してもよい。
【００１５】
本発明の第１の特徴において、前記工程Ａにおいて、前記ハンドオーバ元の無線基地局は、前記ハンドオーバ先の無線基地局に対してハンドオーバするように要求するメッセージに、前記アクセスベアラの設定情報を含めて送信してもよい。
【００１６】
本発明の第１の特徴において、前記工程Ｂにおいて、前記ハンドオーバ先の無線基地局は、前記ハンドオーバ元の無線基地局から通知された前記アクセスベアラの設定情報のうち、該ハンドオーバ先の無線基地局で引継ぎ可能なアクセスベアラの設定情報を選択して保存してもよい。
【００１７】
本発明の第２の特徴は、移動局がハンドオーバ可能な移動通信システムにおいて用いられる無線基地局であって、前記移動局における通信品質について所定条件を満たす場合、ハンドオーバ先の無線基地局に対してハンドオーバするように要求するメッセージを送信するハンドオーバ制御部を具備し、前記ハンドオーバ制御部は、前記無線基地局の上位ノードとの間で設定されているユーザデータを伝送するためのトンネルにおける該上位ノード側のＧＴＰ-ＵのＴＥ-ＩＤを前記メッセージに含めて送信するように構成されていることを要旨とする。
【００１８】
本発明の第３の特徴は、移動局がハンドオーバ可能な移動通信システムにおいて用いられる無線基地局であって、ハンドオーバ元の無線基地局から、前記無線基地局に対してハンドオーバするように要求するメッセージを受信した場合、前記無線基地局の上位ノードとの間で、ユーザデータを伝送するためのトンネルを設定するハンドオーバ制御部を具備し、前記ハンドオーバ制御部は、前記メッセージに含まれる前記ハンドオーバ元の無線基地局と前記上位ノードとの間で設定されているトンネルにおける該上位ノード側のＧＴＰ-ＵのＴＥ-ＩＤを用いて、該上位ノードとの間で前記トンネルを設定するように構成されていることを要旨特徴とする。
【００１９】
本発明の第４の特徴は、移動局がハンドオーバ可能な移動通信システムにおいて用いられる複数の無線基地局の上位ノードであって、ハンドオーバ元の無線基地局との間で設定されているアクセスベアラの設定情報を保存しており、ハンドオーバ先の無線基地局からの経路切替要求に対して、新たなアクセスベアラの設定情報の再割当処理を行うことなく、保存している前記アクセスベアラの設定情報を用いて、前記ハンドオーバ先の無線基地局との間でアクセスベアラを設定するように構成されていることを要旨とする。
【発明の効果】
【００２０】
以上説明したように、本発明によれば、ハンドオーバ時に、ハンドオーバ元の無線基地局ｅＮＢが保持しているＵＥ  Ｃｏｎｔｅｘｔを、ハンドオーバ先の無線基地局ｅＮＢでも流用することによって、ハンドオーバ時の遅延を低減することができる移動通信方法、無線基地局及び上位ノードを提供することができる。
【図面の簡単な説明】
【００２１】
【図１】本発明の第１の実施形態に係る移動通信システムの全体構成図である。
【図２】本発明の第１の実施形態に係るｅＮＢの機能ブロック図である。
【図３】本発明の第１の実施形態に係るＳＡＥ  Ｇａｔｅｗａｙの機能ブロック図である。
【図４】本発明の第１の実施形態に係る移動通信システムにおけるハンドオーバ動作を示すシーケンス図である。
【図５】本発明の第１の実施形態に係るｅＮＢの動作を示すフローチャートである。
【図６】本発明の第１の実施形態に係るｅＮＢの動作を示すフローチャートである。
【図７】本発明の第１の実施形態に係るＳＡＥ  Ｇａｔｅｗａｙの動作を示すフローチャートである。
【図８】ＩＭＴ２０００システムの全体構成図である。
【図９】従来の次世代移動通信システムにおけるハンドオーバ動作を示すシーケンス図である。
【発明を実施するための形態】
【００２２】
（本発明の第１の実施形態に係る移動通信システムの構成）
図１乃至図３を参照して、本発明の第１の実施形態に係る移動通信システムの構成について説明する。
【００２３】
本実施形態に係る移動通信システムは、ハンドオーバ時の通信技術を実現するものであって、特に、無線基地局（以下、ｅＮＢ）の上位ノード（以下、ＳＡＥ  Ｇａｔｅｗａｙ
）とｅＮＢと間で設定されるアクセスベアラの通信技術を実現するものである。
【００２４】
図１に示すように、本実施形態では、３ＧＰＰで標準化が進められているＬＴＥ/ＳＡＥのアーキテクチャを具備する移動通信システムを例として説明を行うが、本発明は、かかる移動通信システムに限定されるものではなく、その他のアーキテクチャを具備する移動通信システムにも適用可能である。
【００２５】
無線アクセスネットワークは、複数のｅＮＢと、ｅＮＢが接続するコアノードＭＭＥ/ＳＡＥ  Ｇａｔｅｗａｙとによって構成されている。
【００２６】
ここで、ＭＭＥは、制御データをハンドリングするノードであり、ＳＡＥ  Ｇａｔｅｗａｙは、ユーザデータをハンドリングするノードである。
【００２７】
なお、ｅＮＢ間は、Ｘ２インターフェース呼ばれるインターフェースを介して接続されており、ｅＮＢとＭＭＥ/ＳＡＥ  Ｇａｔｅｗａｙとの間は、Ｓ１インターフェースと呼ばれるインターフェースを介して接続されている。
【００２８】
Ｓ１インターフェース及びＸ２インターフェース上では、コントロールプレーン（Ｃ-ｐｌａｎｅ）データ（制御データ）及びユーザプレーン（Ｕ-ｐｌａｎｅ）データ（ユーザデータ）を伝送することが可能である。
【００２９】
特に、ユーザプレーンデータは、ＧＴＰ-Ｕ/ＵＤＰで伝送され、ｅＮＢとＳＡＥ  Ｇａｔｅｗａｙとの間で、ＴＥ-ＩＤが交換されることによって、ユーザプレーンデータを伝送するためのＧＴＰトンネルが設定される。
【００３０】
図２に示すように、本実施形態に係るｅＮＢは、制御部１０１と、有線伝送部１０２と
、ハンドオーバ制御部１０３と、コンテキスト管理部１０４とを具備している。
【００３１】
制御部１０１は、各機能部１０２乃至１０４の動作を制御するように構成されている。有線伝送部１０２は、有線伝送路を介して、制御データやユーザデータの送受信を行うように構成されている。
【００３２】
コンテキスト管理部１０４は、ｅＮＢとＳＡＥ  Ｇａｔｅｗａｙとの間で設定される「ＳＡＥ  Ａｃｃｅｓｓ  Ｂｅａｒｅｒ（アクセスベアラ）」上で、各移動局（以下、ＵＥ）の各サービスを識別するためのＧＴＰ-ＵのＴＥ-ＩＤ（アクセスベアラの設定情報）を含むＵＥ  Ｃｏｎｔｅｘｔを保持するように構成されている。
【００３３】
ハンドオーバ制御部１０３は、ハンドオーバ時のシグナリングを行うように構成されている。
【００３４】
例えば、ハンドオーバ元のｅＮＢ１におけるハンドオーバ制御部１０３は、ハンドオーバ対象のＵＥ  Ｃｏｎｔｅｘｔ（ＧＴＰトンネルにおけるＳＡＥ  Ｇａｔｅｗａｙ側のＧＴＰ-ＵのＴＥ-ＩＤ等といったアクセスベアラの設定情報を含む）を、ハンドオーバ先のｅＮＢ２に対して通知するように構成されている。
【００３５】
具体的には、かかるハンドオーバ制御部１０３は、ＵＥから送信された「Ｍｅａｓｕｒｅｍｅｎｔ  Ｒｅｐｏｒｔメッセージ」に基づいて、ＵＥにおける通信品質について所定条件を満たすと判断した場合、ハンドオーバ先のｅＮＢ２に対してハンドオーバするように要求する「Ｈａｎｄｏｖｅｒ  Ｒｅｑｕｅｓｔメッセージ」を送信するように構成されている。
【００３６】
そして、ハンドオーバ制御部１０３は、ｅＮＢの上位ノードであるＳＡＥ  Ｇａｔｅｗａｙとの間で設定されているＧＴＰトンネルにおけるＳＡＥ  Ｇａｔｅｗａｙ側のＴＥ-ＩＤを、上述のアクセスベアラの設定情報として「Ｈａｎｄｏｖｅｒ  Ｒｅｑｕｅｓｔメッセージ」に含めて送信するように構成されていてもよい。
【００３７】
ここで、ハンドオーバ制御部１０３は、上述のアクセスベアラの設定情報に加えて、ＳＡＥ  ＧａｔｅｗａｙのＩＰアドレス（上位ノードのアドレス）を、ハンドオーバ先のｅＮＢ２に対して通知するように構成されていてもよい。
【００３８】
一方、ハンドオーバ先のｅＮＢ２におけるハンドオーバ制御部１０３は、ハンドオーバ元のｅＮＢ１から、当該ハンドオーバ先のｅＮＢ２に対してハンドオーバするように要求するメッセージを受信した場合、当該ハンドオーバ先のｅＮＢ２とＳＡＥ  Ｇａｔｅｗａｙとの間でＧＴＰトンネルを設定するように構成されている。
【００３９】
具体的には、かかるハンドオーバ制御部１０３は、「Ｈａｎｄｏｖｅｒ  Ｒｅｑｕｅｓｔメッセージ」に含まれるハンドオーバ元のｅＮＢ１とＳＡＥ  Ｇａｔｅｗａｙとの間で設定されているＧＴＰトンネルにおける当該ＳＡＥ  Ｇａｔｅｗａｙ側のＴＥ-ＩＤを用いて、当該ＳＡＥ  Ｇａｔｅｗａｙとの間でＧＴＰトンネルを設定するように構成されている。
【００４０】
ここで、かかるハンドオーバ制御部１０３は、かかるＧＴＰトンネルにおけるハンドオーバ先のｅＮＢ２側のＴＥ-ＩＤについては再割当処理を行うように構成されている。
【００４１】
なお、ＴＥ-ＩＤは、ｅＮＢごとに独立して割り当てることが可能であるため、かかるハンドオーバ制御部１０３は、ハンドオーバ元のｅＮＢ１から通知されたＴＥ-ＩＤと同じＴＥ-ＩＤを、かかるＧＴＰトンネルにおけるハンドオーバ先のｅＮＢ２側のＴＥ-ＩＤとして割り当てるように構成されている。
【００４２】
また、かかるハンドオーバ制御部１０３は、「Ｈａｎｄｏｖｅｒ  Ｃｏｍｐｌｅｔｅメッセージ」を用いて、割り当てたハンドオーバ先のｅＮＢ２側のＴＥ-ＩＤ（アクセスベアラの設定情報）及びハンドオーバ先のｅＮＢ２のＩＰアドレスを、ＳＡＥ  Ｇａｔｅｗａｙに対して通知するように構成されている。
【００４３】
また、ハンドオーバ先のｅＮＢ２におけるハンドオーバ制御部１０３は、ハンドオーバ元のｅＮＢ１から通知されたアクセスベアラの設定情報（ｅＮＢ２側のＴＥ-ＩＤ）のうち、当該ハンドオーバ先のｅＮＢ２で引継ぎ可能なアクセスベアラの設定情報（ｅＮＢ２側のＴＥ-ＩＤ）を選択して保存するように構成されていてもよい。
【００４４】
表１に、本実施形態で用いられている「Ｈａｎｄｏｖｅｒ  Ｒｅｑｕｅｓｔメッセージ
」の一例について示す。
【表１】
2010178398.tif 000003
【００４５】
かかる「Ｈａｎｄｏｖｅｒ  Ｒｅｑｕｅｓｔメッセージ」には、ハンドオーバ元のｅＮＢ１が保持しているＵＥ  Ｃｏｎｔｅｘｔ、例えば、ハンドオーバ元のｅＮＢ１で設定していたＳＡＥ  Ａｃｃｅｓｓ  Ｂｅａｒｅｒのリストや、当該ＳＡＥ  Ａｃｃｅｓｓ  ＢｅａｒｅｒにおけるＳＡＥ  Ｇａｔｅｗａｙ側のＴＥ-ＩＤや、ＳＡＥ  ＧａｔｅｗａｙのＩＰアドレス等が含まれる。
【００４６】
かかる「Ｈａｎｄｏｖｅｒ  Ｒｅｑｕｅｓｔメッセージ」には、上述の情報以外に、ハンドオーバ先のｅＮＢ２で必要なＵＥ  Ｃｏｎｔｅｘｔを含んでもよい。
【００４７】
図３に示すように、本実施形態に係るＳＡＥ  Ｇａｔｅｗａｙは、制御部２０１と、有線伝送部２０２と、コンテキスト管理部２０３とを具備している。
【００４８】
制御部２０１は、各機能部２０２乃至２０３の動作を制御するように構成されている。有線伝送部２０２は、有線伝送路を介して、制御データやユーザデータの送受信を行うように構成されている。
【００４９】
コンテキスト管理部２０３は、各ＵＥのユーザデータを識別するコンテキストを保持し、パススイッチ（経路切替）後に、ハンドオーバ先のｅＮＢ２においても同一のコンテキストを再設定するように構成されている。
【００５０】
すなわち、コンテキスト管理部２０３は、ハンドオーバ先のｅＮＢ２からの「Ｐａｔｈ  Ｓｗｉｔｃｈメッセージ（経路切替要求）」に対して、新たなアクセスベアラの設定情報（ＳＡＥ  Ｇａｔｅｗａｙ側のＴＥ-ＩＤ）の再割当処理を行うことなく、ハンドオーバ元のｅＮＢ１とＳＡＥ  Ｇａｔｅｗａｙとの間のＧＴＰトンネルにおけるＳＡＥ  Ｇａｔｅｗａｙ側のＴＥ-ＩＤを引き継ぐように構成されている。
【００５１】
具体的には、コンテキスト管理部２０３は、「Ｈａｎｄｏｖｅｒ  Ｃｏｍｐｌｅｔｅメッセージ」を用いてハンドオーバ先のｅＮＢ２から通知されたアクセスベアラの設定情報（ｅＮＢ２側のＴＥ-ＩＤ）を保存し、保存したアクセスベアラの設定情報（ｅＮＢ２側のＴＥ-ＩＤ）を用いて、ハンドオーバ先のｅＮＢ２との間でアクセスベアラ（ＧＴＰトンネル）を設定するように構成されている。
【００５２】
（本発明の第１の実施形態に係る移動通信システムの動作）
図４乃至図７を参照して、本発明の第１の実施形態に係る移動通信システムの動作について説明する。
【００５３】
第１に、図４を参照して、本実施形態に係る移動通信システムにおけるハンドオーバ動作について説明する。
【００５４】
図４に示すように、ステップＳ１００１において、ＵＥは、ｅＮＢ１からの指示に従って、或いは、自発的に、ＵＥにおける通信品質を監視し、接続中のセル（ｅＮＢ１）の通信品質が所定品質より低下した場合に、接続中のセル（ｅＮＢ１）に対して、「Ｍｅａｓｕｒｅｍｅｎｔ  Ｒｅｐｏｒｔ」を送信する。
【００５５】
ステップＳ１００２において、「Ｍｅａｓｕｒｅｍｅｎｔ  Ｒｅｐｏｒｔ」を受信したｅＮＢ１は、ＵＥから報告された通信品質の中から、例えば、最も通信品質の高いｅＮＢ２に対して、「Ｈａｎｄｏｖｅｒ  Ｒｅｑｕｅｓｔメッセージ」を送信する。
【００５６】
ここで、「Ｈａｎｄｏｖｅｒ  Ｒｅｑｕｅｓｔメッセージ」には、ハンドオーバ元のｅＮＢ１とＳＡＥ  Ｇａｔｅｗａｙとの間で設定していたＳＡＥ  Ａｃｃｅｓｓ  ＢｅａｒｅｒのＳＡＥ  Ｇａｔｅｗａｙ側のＴＥ-ＩＤ、及び、ＳＡＥ  Ｇａｔｅｗａｙのアドレス（例えば、ＩＰアドレス）が含まれている。
【００５７】
ステップＳ１００３において、「Ｈａｎｄｏｖｅｒ  Ｒｅｑｕｅｓｔメッセージ」を受信したｅＮＢ２は、当該ＵＥを受け入れ可能な場合には、「Ｈａｎｄｏｖｅｒ  Ｒｅｑｕｅｓｔ  Ａｃｋメッセージ」を、ハンドオーバ元のｅＮＢ１に対して送信する。
【００５８】
ステップＳ１００４において、「Ｈａｎｄｏｖｅｒ  Ｒｅｑｕｅｓｔ  Ａｃｋメッセージ」を受信したｅＮＢ１は、当該ＵＥに対して、ハンドオーバを指示するための「Ｈａｎｄｏｖｅｒ  Ｃｏｍｍａｎｄメッセージ」を送信する。
【００５９】
ステップＳ１００５において、ＵＥは、「Ｈａｎｄｏｖｅｒ  Ｃｏｍｍａｎｄメッセージ」を受信し、ハンドオーバ先のｅＮＢ２から上り信号を送信するためのリソースが割り当てられた場合に、「Ｈａｎｄｏｖｅｒ  Ｃｏｎｆｉｒｍメッセージ」を、ハンドオーバ先のｅＮＢ２へ送信する。
【００６０】
ステップＳ１００６において、「Ｈａｎｄｏｖｅｒ  Ｃｏｎｆｉｒｍメッセージ」を受信したハンドオーバ先のｅＮＢ２は、ＳＡＥ  Ｇａｔｅｗａｙに対して、ハンドオーバ元からハンドオーバ先へユーザデータを伝送するパスを切り替えるように要求する「Ｐａｔｈ  Ｓｗｉｔｃｈメッセージ（経路切替要求）」を、ＧＴＰ-Ｕを用いて送信する。
【００６１】
ステップＳ１００７において、ハンドオーバ先のｅＮＢ２は、併せて、ハンドオーバ先のｅＮＢ２とＳＡＥ  Ｇａｔｅｗａｙとの間で、ＳＡＥ  Ａｃｃｅｓｓ  Ｂｅａｒｅｒを確立するために、すなわち、ＧＴＰ-Ｕトンネルを設定するために、ハンドオーバ先のｅＮＢ２側のＴＥ-ＩＤ及びハンドオーバ先のｅＮＢ２のＩＰアドレスを、Ｓ１インターフェース上のシグナリングである「Ｈａｎｄｏｖｅｒ  Ｃｏｍｐｌｅｔｅメッセージ」で通知する。
【００６２】
ステップＳ１００８において、ＳＡＥ  Ｇａｔｅｗａｙは、ハンドオーバ先のｅＮＢ２側のＴＥ-ＩＤ及びハンドオーバ先のｅＮＢ２のＩＰアドレスを保存した後、ＳＡＥ  Ａｃｃｅｓｓ  Ｂｅａｒｅｒの設定が完了したことを通知する「Ｈａｎｄｏｖｅｒ  Ｃｏｍｐｌｅｔｅ  Ａｃｋメッセージ」をハンドオーバ先のｅＮＢ２に送信する。
【００６３】
ステップＳ１００９において、「Ｈａｎｄｏｖｅｒ  Ｃｏｍｐｌｅｔｅ  Ａｃｋメッセージ」を受信したハンドオーバ先のｅＮＢ２は、ハンドオーバ元のｅＮＢ１に対して、ＵＥとの通信に用いていた無線リソースを解放するように指示するための「Ｒｅｌｅａｓｅ  Ｒｅｓｏｕｒｃｅメッセージ」を送信する。
【００６４】
第２に、図５及び図６を参照して、本実施形態に係るｅＮＢの動作について説明する。
【００６５】
図５に示すように、ステップＳ１０１において、ＵＥと通信中のｅＮＢ１は、「Ｍｅａｓｕｒｅｍｅｎｔ  Ｒｅｐｏｒｔ」を受信したか否かについて確認する。
【００６６】
「Ｍｅａｓｕｒｅｍｅｎｔ  Ｒｅｐｏｒｔ」を受信していない場合には、本動作は、終了する。
【００６７】
一方、「Ｍｅａｓｕｒｅｍｅｎｔ  Ｒｅｐｏｒｔ」を受信した場合には、ステップＳ１０２において、ｅＮＢ１は、当該ＵＥのＵＥ  Ｃｏｎｔｅｘｔを確認し、ハンドオーバ先のｅＮＢ２で引継ぎが必要なＵＥ  Ｃｏｎｔｅｘｔ（例えば、ＧＴＰトンネルにおけるＳＡＥ  Ｇａｔｅｗａｙ側のＴＥ-ＩＤ等のアクセスベアラの設定情報）を、「Ｈａｎｄｏｖｅｒ  Ｒｅｑｕｅｓｔメッセージ」に含めて、Ｘ２インターフェース上で送信する。
【００６８】
また、図６に示すように、ステップＳ２０１において、ＵＥと通信を行っていないｅＮＢ２は、「Ｈａｎｄｏｖｅｒ  Ｒｅｑｕｅｓｔメッセージ」を受信したか否かについて確認する。
【００６９】
「Ｈａｎｄｏｖｅｒ  Ｒｅｑｕｅｓｔメッセージ」を受信していない場合には、本動作は、終了する。
【００７０】
一方、「Ｈａｎｄｏｖｅｒ  Ｒｅｑｕｅｓｔメッセージ」を受信した場合には、ｅＮＢ２は、「Ｈａｎｄｏｖｅｒ  Ｒｅｑｕｅｓｔメッセージ」に含まれるハンドオーバ元のｅＮＢ１での該当するＵＥ  Ｃｏｎｔｅｘｔを解析する。
【００７１】
ステップ２０３において、ｅＮＢ２は、当該ＵＥ  Ｃｏｎｔｅｘｔに含まれるＳＡＥ  Ａｃｃｅｓｓ  Ｂｅａｒｅｒ毎のＳＡＥ  Ｇａｔｅｗａｙ側のＴＥ-ＩＤ及びアドレスを、ＵＥ  Ｃｏｎｔｅｘｔとして再設定する。
【００７２】
ステップＳ２０３と並行して、ｅＮＢ２は、ステップＳ２０４において、ハンドオーバ元のｅＮＢ１に対して、「Ｈａｎｄｏｖｅｒ  Ｒｅｑｕｅｓｔ  Ａｃｋメッセージ」を送信する。
【００７３】
ステップ２０５において、ｅＮＢ２は、「Ｈａｎｄｏｖｅｒ  Ｃｏｎｆｉｒｍメッセージ」を受信したか否かについて確認する。
【００７４】
「Ｈａｎｄｏｖｅｒ  Ｃｏｎｆｉｒｍメッセージ」を受信していない場合には、本動作は、ステップＳ２０５を繰り返す。
【００７５】
一方、「Ｈａｎｄｏｖｅｒ  Ｃｏｎｆｉｒｍメッセージ」を受信した場合には、ｅＮＢ２は、ＳＡＥ  Ｇａｔｅｗａｙに対して、ＧＴＰ-Ｕで、「Ｐａｔｈ  Ｓｗｉｔｃｈメッセージ（経路切替要求）」を送信する。
【００７６】
第３に、図７を参照して、本実施形態に係るＳＡＥ  Ｇａｔｅｗａｙの動作について説明する。
【００７７】
図７に示すように、ステップＳ３０１において、ＳＡＥ  Ｇａｔｅｗａｙは、ハンドオーバ先のｅＮＢ１から、ＧＴＰ-Ｕを介して、「Ｐａｔｈ  Ｓｗｉｔｃｈメッセージ（経路切替要求）」を受信したか否かについて確認する。
【００７８】
「Ｐａｔｈ  Ｓｗｉｔｃｈメッセージ（経路切替要求）」を受信していない場合には、本動作は、終了する。
【００７９】
一方、「Ｐａｔｈ  Ｓｗｉｔｃｈメッセージ（経路切替要求）」を受信した場合には、ＳＡＥ  Ｇａｔｅｗａｙは、ハンドオーバ元のｅＮＢ１からハンドオーバ先のｅＮＢ２へＵＥ  Ｃｏｎｔｅｘｔの引継ぎを行う。
【００８０】
（本発明の第１の実施形態に係る移動通信システムの作用・効果）
本発明の第１の実施形態に係る移動通信システムによれば、ＵＥのハンドオーバ時に、ハンドオーバ元のｅＮＢ１が保持しているＵＥ  Ｃｏｎｔｅｘｔを、ハンドオーバ先のｅＮＢ２でも流用することによって、ハンドオーバ時の遅延を低減することができる。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
ｅＮＢ…無線基地局１０１、２０１…制御部１０２、２０２…有線伝送部１０３…ハンドオーバ制御部１０４、２０３…コンテキスト管理部ＳＡＥ  Ｇａｔｅｗａｙ…コアノード
【図１】
2010178398.tif 000004
【図２】
2010178398.tif 000005
【図３】
2010178398.tif 000006
【図４】
2010178398.tif 000007
【図５】
2010178398.tif 000008
【図６】
2010178398.tif 000009
【図７】
2010178398.tif 000010
【図８】
2010178398.tif 000011
【図９】
2010178398.tif 000012
【手続補正書】
【提出日】平成22年6月3日(2010.6.3)
【手続補正２】
【補正対象書類名】特許請求の範囲
【補正対象項目名】全文
【補正方法】変更
【補正の内容】
【特許請求の範囲】
【請求項１】
複数の無線基地局と該複数の無線基地局の上位ノードとを具備する移動通信システムにおいて、移動局が、無線基地局から該無線基地局とは異なる無線基地局にハンドオーバする移動通信方法であって、
前記上位ノード及び前記ハンドオーバ元の無線基地局は、該上位ノードと該ハンドオーバ元の無線基地局との間で設定されているアクセスベアラの設定情報を保存しており、
前記ハンドオーバ元の無線基地局が、前記アクセスベアラの設定情報を、前記ハンドオーバ先の無線基地局に対して通知する工程Ａと、
前記ハンドオーバ先の無線基地局が、前記ハンドオーバ元の無線基地局から通知された前記アクセスベアラの設定情報を保存する工程Ｂと、
前記上位ノードが、前記ハンドオーバ先の無線基地局からの経路切替要求に対して、新たなアクセスベアラの設定情報の再割当処理を行うことなく、保存している前記アクセスベアラの設定情報を用いて、前記ハンドオーバ先の無線基地局との間のアクセスベアラを設定する工程Ｃとを有することを特徴とする移動通信方法。